(57)【特許請求の範囲】
【請求項１】
上枠、左右の竪枠、下枠とからなる窓枠と、
上端部を回動支点として前後方向に回動するように窓枠に取り付けられた障子と、
障子を回動させて窓開口部を開閉させる左右の作動機構と、
からなる窓装置において、
左右の作動機構は、下枠内に配置された回動軸を介して連動されており、前記回動軸には、係合片が設けられ、前記障子の下端部には、前記回動軸の回転によって前記係合片が係合する被係合片が設けられ、前記回動軸が回転して窓開口部閉鎖状態となった時に、前記回動軸の前記係合片と前記障子の下端部の前記被係合片とを係合させて障子の閉鎖状態を保持するように構成したことを特徴とする窓装置のロック装置。
【請求項２】
前記係合片と前記被係合片の少なくとも一方は、回動軸の長さ方向に延出する長手部材である、請求項１に記載のロック装置。
【請求項３】
前記係合片と前記被係合片の少なくとも一方は、窓開口部の開口幅略全長に亘って延出する、請求項２に記載のロック装置。
【発明の詳細な説明】
【技術分野】
【０００１】
本発明は、窓装置のロック機構に係り、詳しくは、上端部を回動支点として前後方向に回動するように窓枠に取り付けられた障子を備えた窓装置のロック機構に関するものである。本発明に係る窓装置としては、回動支点を介して前後に回動自在であり、かつ、回動支点がスライド自在である障子を備えたすべり出し窓が例示される。
【背景技術】
【０００２】
上端部を回動支点として前後方向に回動するように窓枠に取り付けられた障子を備えた窓装置が知られている。このような窓装置としては、回動支点を介して前後に回動自在であり、かつ、回動支点がスライド自在である障子を備えたすべり出し窓がある。すべり出し窓の基本的な構成は、特許文献１に記載されており、窓枠と、窓枠に回動可能に設けられ、かつ回動支点が上下方向にスライド自在の障子と、窓枠の竪枠に沿って上下方向に移動自在に設けられた開閉操作バーとを備えている。障子に設けた係合ピンが開閉操作バーと係合することによって、開閉操作バーの上下動により障子の回動支点が上下方向にスライドしながら、障子が回動するように構成されている。
【０００３】
さらに、障子の側縁部の下端部には係合部材が設けられ、開閉操作バーには係合部材に係合可能なフックが揺動自在に設けられ、フックと窓枠との間には、フックに設けられたカムフォロワと、窓枠に設けられたカムとからなるロック手段が設けられている。
【０００４】
このように従来のすべり出し窓のロック手段は、障子の竪框と窓枠の竪枠との間に設けられている。ところが、最近では、バール等で窓の竪枠をこじ開けて、窓部から室内に侵入を試みようとする犯罪が増加しており、窓の竪枠におけるロック手段のみでは、防犯上、十分に安全とは言えないため、窓開口部の開閉体には、より一層の防犯機能が要求されており、さらに、回動支点が上下動するすべり出し窓に限らず、固定された回動支点を介して前後方向に回動するように窓枠に取り付けられた障子を備えた窓装置においても、外部からのこじ開けに対して有効に対抗できるロック機構が要望されている。
【特許文献１】実用新案登録第２５６９０６２号
【発明の開示】
【発明が解決しようとする課題】
【０００５】
本発明は、窓装置において、窓枠の竪枠からバール等を用いたこじ開けに対して有効に対抗できるロック機構を提供することを目的とする。
【課題を解決するための手段】
【０００６】
かかる課題を達成するために本発明が採用したロック機構は、上枠、左右の竪枠、下枠とからなる窓枠と、上端部を回動支点として前後方向に回動するように窓枠に取り付けられた障子と、障子を回動させて窓開口部を開閉させる左右の作動機構と、からなる窓装置において、左右の作動機構は、下枠内に配置された回動軸を介して連動されており、前記回動軸には、係合片が設けられ、前記障子の下端部には、前記回動軸の回転によって前記係合片が係合する被係合片が設けられ、前記回動軸が回転して窓開口部閉鎖状態となった時に、前記回動軸の前記係合片と前記障子の下端部の前記被係合片とを係合させて障子の閉鎖状態を保持するように構成したことを特徴とする。
【０００７】
好ましい態様では、前記係合片と前記被係合片の少なくとも一方は、回動軸の長さ方向に延出する長手部材である。回動軸と障子の下端部との係合をより強固に行うためには、回動軸側の部材、障子側の部材の両方が回動軸の長さ方向に延出することが望ましい。長手部材は、一つの好ましい態様では、回動軸の長さ方向に連続状に延出する一つの部材であるが、複数の長手部材であってもよい。さらに好ましくは、前記係合片と前記被係合片の少なくとも一方は、窓開口部の開口幅略全長に亘って延出する。
【０００８】
一つの態様では、作動機構は、左右の竪枠に設けた上下動自在の開閉操作バーを介して、障子を回動操作するものである。一つの態様では、窓装置は、上端部を回動支点として前後方向に回動すると共に、回動支点が左右の竪枠に沿って上下に移動するように窓枠に取り付けられた障子を備えたすべり出し窓である。この場合、一つの態様では、前記回動支点は、左右の竪枠に設けた上動自在の開閉操作バーを介して上下に移動され、前記作動機構は、開閉操作バーの下端部に設けられ、開閉操作バーを上下動させる。本発明に係る窓装置は、すべり出し窓に限定されるものではなく、固定された回動支点を介して前後方向に回動するように窓枠に取り付けられた障子を備えた窓装置であってもよい。
【発明の効果】
【０００９】
（１）本発明は、下枠内に設けた回動軸と障子の下端部との間をロックすることで、窓開口部閉鎖時に回動軸の回動を規制して障子の閉鎖状態を保持するものであり、竪枠におけるバール等のこじ開けに有効に対抗することができる。
（２）回動軸と障子を係合させる部材を、長手部材から構成することができるので、係合が強固であり、開口部端部においてこじ開けが試みられたとしても、ロック状態が良好に維持される。
（３）互いに係合可能な部材の少なくとも一方が、窓開口部の開口幅略全長に亘って延出するものでは、開口部の下方部位からのこじ開けに有効に対抗することができる。
【発明を実施するための最良の形態】
【００１０】
本発明に係るすべり出し窓のロック装置の好適な実施例について、適宜図面を参照しながら説明する。図１に示すように、すべり出し窓は、窓枠１と、窓枠１によって形成された窓開口部を開閉する複数枚（図１では３枚を例示）の障子２とから構成されている。窓枠１は、左右の竪枠３ａ，３ｂ、上枠４、下枠５から構成されている。障子２は、上框２００、左右の竪框２０１，２０２、下框２０３、ガラス窓部２０４から構成されている。
【００１１】
図２に示すように、左右の竪枠３ａ，３ｂは、それぞれ、屋外側に面する屋外側面部３０と、屋外側面部３０に対して直交状に延出する側面部３１と、側面部３１に対向して延出する側面部３２と、両側面部３１，３２を連結する屋内側面部３３とを有している。図面から明らかなように、側面部３１は側面部３２よりも大きい見込寸法を有している。図３、図４に示すように、上枠４は、屋外側面部４０と屋内側面部４１を有し、閉位置にある障子２の上框２００は、両面部４０，４１間に位置する。図３、図４に示すように、下枠５は、水平状の上面部５０と、上面部５０の屋内側端部より下方に延出する屋内側面部５１と、屋内側面部５１の下端より、屋外側へ向かって緩やかに下向き傾斜状に延出する下面部５２とを有している。各障子２は、上端部を回動支点として前後方向に回動可能であると共に、回動支点は、窓枠の左右の竪枠３に沿って上下方向に移動自在に設けられた左右の開閉操作バー６を介して、上下方向に移動自在となっている。
【００１２】
各障子２は、左右の竪枠３ａ，３ｂと、各障子２の左右の両側縁部（左右の竪框２０１，２０２）との間に設けた連結機構を介して窓枠１に連結されている。連結機構は、開閉操作バー６と、第１アーム７と、第２アーム８と、ベース９と、ブラケット１０と、作動プレート１１と、を有する。ベース９は、竪枠３に固定されている。ベース９には上下に延びる長穴９０が形成されており、長穴９０の上端部は後方（屋内側）に傾斜している。
【００１３】
第１アーム７は、障子２の竪框２０１，２０２の上方部位に連結されており、第１アーム７の上端部は係合ピン７０を介して、ベース９に回動自在かつ上下スライド自在に連結されている。第１アーム７の上部に突設した係合ピン７０は、ベース９の長穴９０内にスライド自在に嵌められており、長穴９０にガイドされる。係合ピン７０がベース９の長穴９０の上端部に位置している時（図６の中央図、右図）に障子２が直立姿勢となって窓開口部が閉じられ、係合ピン７０が長穴９０の下端部に位置している時（図６の左図）に障子２が傾斜姿勢となって窓開口部が開放される。第１アーム７の下端部には、第２アーム８の上端部が回動自在に連結されている。第２アーム８の下端部は竪枠３に固定されたブラケット１０に回動自在に連結されている。
【００１４】
作動プレート１１は、開閉操作バー６における各障子２の上端部と対応する部分に、開閉操作バー６から前方（屋外側）に突出するように設けてあり、開閉操作バー６の上下動に伴って、作動プレート１１が上下動して、係合ピン７０を上下に移動させる。作動プレート１１には、長穴１１０が形成されており、長穴１１０は、垂直部と、垂直部の上端側から前方へ傾斜状に延びる傾斜部とから構成される。作動プレート１１は、ベース９と第１アーム７の上端部との間に介装されており、長穴１１０内には、係合ピン７０がスライド自在に嵌まっており、係合ピン７０は、長穴１１０にガイドされる。障子２の閉位置でロック状態にある場合（図６右図）では、係合ピン７０は長穴１１０の下端部に位置している。そして、開閉操作バー６の下動により作動プレート１１が下動しても、係合ピン７０が長穴１１０の上端に至るまでは障子２の開閉に関与することはなく、障子２は閉位置に保持される。開閉操作バー６および作動プレート１１がさらに下動すると、長穴１１０の上端の縁部に押されて係合ピン７０がベース９の長穴９０の傾斜部を下方に移動して、作動プレート１１の長穴１１０の傾斜部内を上方に移動する。係合ピン７０が、長穴９０の傾斜部を過ぎると、作動プレート１１の長穴１１０と係合ピン７０との位置関係はそのまま維持されて、ピン７０はベース９の長穴９０の垂直部内を下方に移動し、第１アーム７が係合ピン７０を中心にして前方に回動すると共に第２アーム８が下端部を中心として前方に回動し、障子２が傾動して開口部を開放する。
【００１５】
開閉操作バー６の下端部には、開閉操作バー６を上下動させる作動機構が連結されている。作動機構は、本実施形態では、左右の開閉操作バー６に上端部が回動自在に連結されたリンク１２と、リンク１２の下端部に上端部が回動自在に連結され、下端部が回動支点となる回動アーム１３と、からなる屈伸機構である。左右の開閉操作バー６の下端部には、それぞれ作動機構が連結されており、左右の作動機構は、左右の回動アーム１３の下端部の回動支点同士を連結する回動軸１４によって連動されている。一方の作動機構には、伝達機構１５０を介して、リンク１２と回動アーム１３とからなる屈伸機構を上下に屈伸させる操作ハンドル１５が設けてある。左右の作動機構と、左右の作動機構を連動する回動軸１４と、一方の作動機構を屈伸させる操作ハンドル１５とから、障子２の開閉操作機構が構成される。図示の例では、伝達機構１５０の入力側は操作ハンドル１５に、出力側はリンク１２にそれぞれ連結されているが、操作ハンドル１５の回転操作による入力で、リンク１２と回動アームを上下に屈伸させて開閉操作バー６を上下動することができれば、伝達機構１５０の出力側を、回動アーム１３や回動軸１４に連結してもよい。
【００１６】
回動軸１４は、下枠５の長さ方向に沿って、窓開口部の幅方向に水平状に延出する部材であり、操作ハンドル１５の回転操作による一方の竪枠３に設けた作動機構への入力を、他方の竪枠３に設けた作動機構に伝達する役割を有する。すなわち、操作ハンドル１５を回転することで、一側のリンク１２と回動アーム１３が屈伸するが、リンク１２と回動アーム１３の屈伸時には、回動アーム１３の下端の回動軸１４が回転するので、一側の回動アーム１３の回動によって、回動軸１４が回転して、他側の回動アーム１３が回動し、他側の回動アーム１３の回動によって他側のリンク１２も回動して、他側のリンク１２と回動アーム１３が屈伸する。左右のリンク１２と回動アーム１３が屈伸することで、左右の開閉操作バー６が下動または上動する。
【００１７】
すべり出し窓のロック機構について説明する。図示のすべり出し窓には、４つのロック機構が設けてある。
【００１８】
第１のロック機構について説明する。下端に位置する障子２を除いた各障子２の竪框２０１，２０２の下端部に被係合突部１６が設けてあり、開閉操作バー６には、被係合突部１６に係合する係合フック１７が揺動自在に設けてある。係合フック１７は、略Ｕ形状を有し、前側垂直部と後側垂直部と両垂直部の下端同士を連結する連結部とからなり、後側垂直部の下端部において開閉操作バー６に回動自在に枢着されている。
【００１９】
窓枠１の竪枠３の外側壁部の内面にはカムプレート１８が固定されており、係合フック１７には、その後側垂直部の上端部に内側に突出するように固定されたカムフォロワ１９が突設されている。カムプレート１８は、その前側から後斜め上方に延び、カムフォロワ１９をガイドするガイド溝１８０が切り欠き形成されている。開閉操作バー６の上動により、係合ピン７０が作動プレート１１の長穴１１０内を移動する時に、係合フック１７がカムプレート１８にガイドされながら揺動して、被係合突部１６に係合してロック状態となる。開閉操作バー６の下動により係合フック１７を揺動させて被係合突部１６への係合を解除させることで、ロック状態を解除する。
【００２０】
第２のロック機構について説明する。下端部の障子２の竪框２０１，２０２の下端部には被係合片２０ａが一体形成された取付け板２０が固定されている。一方、回動アーム１３の前端縁には、被係合片２０ａに係合する係合部２１が設けてある。障子２が閉位置となり、回動アーム１３が立ち上がり姿勢となると、回動アーム１３の係合部２１が障子２の被係合片２０ａに係合することにより、障子２の閉状態が維持される。
【００２１】
第３のロック機構について説明する。障子２に装着された第１アーム７には、逆Ｌ形状の係合フック２２が形成されており、開閉操作バー６の所定位置には、窓開口部の閉鎖時に係合フック２２に係合する係合突部２３が形成されている。係合フック２２は、障子２が立ち上がり姿勢にある時に、下端が開口状で垂直方向に延びる係合溝２２０を形成しており、閉鎖時に、開閉操作バー６が上動して、係合ピン７０が作動プレート１１の長穴１１０の垂直部の上に位置した時には、障子２は垂直姿勢にあり、この状態で、係合フック２２の係合溝は係合突部２３の直上に位置している（図６中央図）。この状態からさらに、開閉操作バー６が上動することで、開閉操作バー６に設けた係合突部２３が上動して、係合フック２２の係合溝２２０に係合してロック状態となる。開放時には、先ず、障子２が直立姿勢を維持した状態で、開閉操作バー６が下動して、係合フック２２の係合溝２２０と係合突部２３の係合状態が解除され（図６中央図）、さらに、開閉操作バー６が下動すると、障子２が傾動を開始して、窓開口部を開放する（図６左図）。
【００２２】
第４のロック機構について説明する。第１〜第３のロック機構が、障子２の左右の竪框２０１，２０２と窓枠１の左右の竪枠３ａ，３ｂとの間に設けられているのに対して、第４のロック機構は、障子２の下框２０３と窓枠１の下枠５内の回動軸１４の間に設けられる。図３、図４に示すように、障子２の下框２０３は、屋外側の見付面２０３ａ、下面２０３ｂ、屋内側の見付面２０３ｃ、屋内側の見付面２０３ａより下方に延出する延出片２０３ｄ、を有している。窓枠１の下枠５内には、回動軸１４が配置されている。回動軸１４は、下枠５の上面部５０と屋内側面部５１と下面部５２の屋内側部位で囲まれた部位に配置されており、障子２よりも屋内側に位置している。さらに、障子２の閉位置では、回動軸１４の屋外側には、障子２の下框２０３の延出片２０３ｄが位置しており、障子２の閉位置において、回動軸１４が屋外側に露出することがない。
【００２３】
障子２の下框２０３の下面部２０３ｂには、被係合片２４が固定されている。被係合片２４は、下框２０３の長さ方向に延出する水平状部２４０と、水平状部２４０の屋内側を下方に折曲して一体的に形成した被係合部２４１とを有する。被係合部２４１は、下枠５（回動軸１４）の長さ方向に延出する長手部である。
【００２４】
回動軸１４には、回動軸１４の長さ方向に延出するフック状の係合片２５が装着されている。係合片２５は、回動軸１４の長さ方向に延出する長手部材である。係合片２５は、障子２の閉位置において、係合片２５が、障子２の下框２０３の下面２０３ｂに固定された被係合片２４の被係合部２４１に係合し、障子２の開位置では、係合片２５が、障子２の下框２０３の下面２０３ｂに固定された被係合片２４の被係合部２４１との係合状態が外れるように配設されている。図６の中央図の状態では、障子２は閉位置にあるが、回動軸１４に設けた係合片２５と被係合片２４の被係合部２４１とは離間した非係合状態であり、その状態からさらに操作ハンドル１５を回転させて、回動軸１４を回転させることで、回動軸１４に設けた係合片２５が被係合片２４の被係合部２４１に係合する。
【００２５】
図３では、障子２の下框２０３の下面２０３ｂ、及び、回動軸１４の周面に、別体の被係合片２４、係合片２５を取り付けたものを示したが、図４に示すように、被係合部２４１を障子２の下框２０３の下面２０３ｂと一体的に、係合片２５を回動軸１４の周面に一体的に形成してもよい。互いに係合する部材である被係合片２４、係合片２５は、障子２の下框２０３、回動軸１４にそれぞれ後付けすることができるので、既存の窓装置に対しても本発明を適用することができる。
【００２６】
一つの好ましい態様では、被係合片２４と係合片２５とは回動軸１４の長さ方向に連続状に延出する長手部材であるが、被係合片２４と係合片２５の、いずれか一方、あるいは両方が、回動軸１４の長さ方向に分割されていてもよく、あるいは、複数の被係合片２４および/あるいは係合片２５が、回動軸１４の長さ方向にある間隔を存してピッチで形成されていてもよい。
【００２７】
このように構成されたすべり出し窓において、図６右図示すように、各障子２が閉位置にある場合、第１アーム７の係合ピン７０は、ベース９の長穴９０の上端でかつ作動プレート１１の長穴１１０の下端に位置している。カムフォロワ１９がカム１８のガイド溝１８０の最奥部に位置し、係合フック１７の前側垂直部が障子の被係合突部１６に係合している。回動アーム１３の係合部２１が下端部の障子２の被係合片２０ａに係合している。第１アーム７に形成された係合片２２が開閉操作バー６に形成した係合突起２３に係合している。回動軸１４に設けた係合片２５が障子２の下框２０３の下面２０３ｂに設けた被係合部２４１に係合している。こうして、閉位置にある障子２のロック状態が維持される。回動軸１４に設けた係合片２５が障子２の下框２０３の下面２０３ｂに設けた被係合部２４１に係合することで、窓開口部閉鎖時に、回動軸１４と障子２の下端部とを係合させて障子２の閉鎖状態を保持するので、窓開口部の側方部位からのこじ開けに有効に対抗できる。さらに、係合片２５は、回動軸１４の略全長に亘って延出し、被係合部２４１は障子２の下框２０３の幅方向略全長に亘って延出しており、したがって、係合片２５及び被係合部２４１は、窓開口部の開口幅略全長に亘って延出しているので、窓開口部の下方部位からのこじ開けにも有効に対抗できる。
【００２８】
図６右図の閉鎖状態から、操作ハンドル１５を回してリンク１２と回動アーム１３を屈曲させると、リンク１２と回動アーム１３の回動連結部が前方に突出することで、開閉操作バー６が下動し、開閉操作バー６と共に作動プレート１１が下動して、係合ピン７０が作動プレート１１の長穴１１０の上端部に至る。また、開閉操作バー６とともに係合フック１７も下動し、これによりカムフォロワ１９がカム１８のガイド溝切内を前斜め下方に移動し、係合フック１７が前方（屋外側）に揺動して、係合フック１７と被係合突部１６との係合が解除される。開閉操作バー６の下動によって、係合片２２と係合部２３の係合も解除される。また、回動アーム１３の回動により、係合部２１と被係合突部２０ａとの係合、係合部２５と被係合部２４１の係合、が解除される。こうして、障子２のロック状態が解除される。さらに、開閉操作バー６が下動すると、第１アーム７の係合ピン７０がベース９の長穴９０の傾斜部内を前斜め下方に移動するとともに、作動プレート１１の長穴１１０の傾斜部内を前方に移動してその前端に至り、これにより各障子２が開き始め、係合ピン７０が長穴９０の下端部に至ったときに障子２は開状態となる（図６左図）。
【００２９】
開位置にある障子２を閉位置に戻す場合、操作ハンドル１５を回して、リンク１２と回動アーム１３を伸長させると、リンク１２と回動アーム１３の回動連結部が後方（屋内側）に移動することで、開閉操作バー６が上動する。開閉操作バー６の上動に伴い、作動プレート１１が上動し、係合ピン７０が長穴１１０内を上方に移動し、これにより第１アーム７が係合ピン７０を中心として後方へ回動するとともに、第２アーム８が下端部を中心にして後方へ回動し、障子２が閉じ始める。係合ピン７０は、長穴９０の傾斜部を後斜め上方に移動する間に、作動プレート１１の長穴１１０の傾斜部内を後方に移動し、長穴９０の傾斜部の上端部に至ると、作動プレート１１の長穴１１０の上端部に至る。このとき、フック１７のカムフォロワ１９はカム１８のガイド溝１８０の入口に至り、各障子２は閉じられる。さらに、開閉操作バー６が上動すると、カムフォロワ１９がカム１８の切欠き１８０内を後斜め上方に移動し、これにより係合フック１７が屋内側へ揺動し、カムフォロワ１９がカム１８のガイド溝１８０の最奥部に至ると、その前側垂直部が被係合突部１６に係合する。フック１７の揺動開始時から揺動終了時までの間の開閉操作バー６の上方への移動の際には、係合ピン７０は作動プレート１１の長穴１１０内を相対的に下方に移動するので、開閉操作バー６の移動は各障子２の開閉に関与しない。下端部の障子２が閉じた後、さらに、操作ハンドル１５を回すことで、リンク１２と回動アーム１３がさらに伸長して、回動アーム１３の係合部２１が被係合片２０ａに係合する。リンク１２と回動アーム１３の伸長に伴って、回動軸１４が回転して、回動軸１４に設けた係合片２５が障子２の下框２０３の下面２０３ｂに設けた被係合部２４１に係合する。開閉操作バー６が上動して、係合片２２に係合突起２３が係合する。こうして、各障子２が閉位置でロック状態となる。
【００３０】
上記実施例においては、複数の障子２を備えたすべり出し窓について説明したが、１枚の障子を備えたすべり出し窓にも適用することができる。また、障子２と窓枠１との間に設けた連結機構、作動機構、開閉操作機構は、実施例のものに限定されず、他の構成を有していてもよい。
【産業上の利用可能性】
【００３１】
本発明は、すべり出し窓等の窓装置のロック機構として利用することができる。
【図面の簡単な説明】
【００３２】
【図１】すべり出し窓の正面図である。
【図２】すべり出し窓の横断面図である。
【図３】すべり出し窓の縦断面図、及び、縦断面図の下方部位の部分拡大図であり、本発明の第１実施例を示す。
【図４】すべり出し窓の縦断面図、及び、縦断面図の下方部位の部分拡大図であり、本発明の第２実施例を示す。
【図５】障子が開状態にある時の障子と窓枠との連結機構の側面図である。
【図６】障子と窓枠との連結機構の側面図であり、左図は実質的に図５に対応し（障子の下框が省略されている点）、中央図は障子が閉位置かつ非ロック状態にある場合を示し、右図は障子が閉位置かつロック状態にある場合を示す。
【図７】障子と窓枠との連結機構の正面図である。
【図８】障子の竪框に連結された第１アームを示す図である。
【符号の説明】
【００３３】
１  窓枠
３ａ，３ｂ  竪枠
５  下枠
６  開閉操作バー
１２  リンク
１３  回動アーム
１４  回動軸
１５  操作ハンドル
２４  被係合片
２５  係合片
【図１】
0004762648.tif 000002
【図２】
0004762648.tif 000003
【図３】
0004762648.tif 000004
【図４】
0004762648.tif 000005
【図５】
0004762648.tif 000006
【図６】
0004762648.tif 000007
【図７】
0004762648.tif 000008
【図８】
0004762648.tif 000009